(57)【要約】【課題】  作業スペースが省スペースであっても他ケーブルに支障を与えることなく特定のケーブルのコネクタの挿抜を可能とし、接続する装置に対してロック可能なコネクタを備えたケーブルに用いることのできるケーブル用コネクタ挿抜工具を提供することを目的とする。【解決手段】  作業者により把持される把持部７と該把持部７の一端に設けられカテゴリ６用コネクタを嵌脱可能に保持する第一挿抜部５と把持部７の他端に設けられカテゴリ５ｅ用コネクタを嵌脱可能に保持する第二挿抜部６とからなり、第一挿抜部５にはカテゴリ６用コネクタのラッチ部へ係合する第１係合溝１０が形成されその両側にＬＡＮケーブルの挿抜方向に対して垂直に立設され且つ先端に爪部１２を有する一対の掛止部１１を設け、第二挿抜部６にはカテゴリ５ｅ用コネクタのラッチ部へ係合する第２係合溝１９が形成され且つ第２係合溝１９に対向するようにして支持板部２３が設けられている。【選択図】  図２
2006344410.tif 000002
【特許請求の範囲】
【請求項１】
ケーブル収容装置の第１モジュラージャックに対して挿抜可能な第１コネクタを備え、該第１コネクタに設けられたラッチ部によって前記第１モジュラージャックにロックされる第１ケーブルと、前記ケーブル収容装置の第２モジュラージャックに対して挿抜可能な第２コネクタを備え、該第２コネクタに設けられた前記ラッチ部によって前記第２モジュラージャックにロックされる第２ケーブルとを前記ケーブル収容装置に対して挿抜可能にするケーブル用コネクタ挿抜工具において、
作業者により把持される把持部と、
該把持部の一端に設けられ前記第１コネクタを嵌脱可能に保持する第一挿抜部と、
前記把持部の他端に設けられ前記第２コネクタを嵌脱可能に保持する第二挿抜部とからなり、
前記第一挿抜部には、前記第１コネクタの前記ラッチ部へ係合する第１係合溝が形成されているとともに、該第１係合溝の両側に前記第１ケーブルの挿抜方向に対して垂直に立設され且つ先端に爪部を有する一対の掛止部が設けられ、前記第二挿抜部には、前記第２コネクタの前記ラッチ部へ係合する第２係合溝が形成されているとともに、該第２係合溝に対向するようにして支持板部が設けられていることを特徴とするケーブル用コネクタ挿抜工具。
【請求項２】
前記第１ケーブル及び前記第２ケーブルの少なくともいずれか一方を挟持する挟持溝が長手方向に沿って形成されていることを特徴とする請求項１記載のケーブル用コネクタ挿抜工具。
【請求項３】
非導通樹脂で一体成形されていることを特徴とする請求項１又は２に記載のケーブル用コネクタ挿抜工具。
【発明の詳細な説明】
【技術分野】
【０００１】
本発明は、ＬＡＮケーブル等におけるコネクタを挿抜するためのケーブル用コネクタ挿抜工具に関するものである。
【背景技術】
【０００２】
近年、コネクタ付ＬＡＮケーブルの配線は、省スペース化の設計思想となっており高密度実装となっている。また、このＬＡＮケーブルを組み込むハブの構成によりＬＡＮケーブルの配線手法等が異なっている。そのため、特定の回線を追加あるいは排除したい場合においても、作業スペースを十分に確保できず、装置側コネクタに接続されるＬＡＮケーブルを挿抜する作業を行い難く、隣接するＬＡＮケーブルの半差し等による故障を生じさせる虞がある。このように、手作業でのケーブル挿抜は容易ではなく、困難を要していた。
【０００３】
ケーブルの挿抜工具としては、例えば特許文献１のようなものが開示されている。これは、一方の端に取手部が設けられ、他方の端が延長された工具本体部２と、この工具本体部２の先端部に設けられケーブルを挟むことができる挟持部とからなるもので、取手部を操作することで開く挟持部によって特定のケーブルを挟持し、挿抜を行うというものである。これにより、作業スペースが省スペースであっても他ケーブルに支障を与えることなく特定のケーブルのコネクタを挿抜できる。
【特許文献１】特開平５−１４４６３９号公報
【発明の開示】
【発明が解決しようとする課題】
【０００４】
しかし、上述した従来技術においては、接続する装置に対し、ケーブル側のコネクタが特にロックされることなく保持されるケーブルを挟持することで挿抜を行うというものであるため、装置側のコネクタに対してケーブル側のコネクタがロックされる構成のケーブルには適用が困難である。例えば、ケーブル側のコネクタがラッチ部を有したものである場合、このラッチ部によって装置側のコネクタにロックされることになるため、抜去時には、ラッチ部を押圧するなどしてロック状態を解除しない限り、ケーブルを装置から引き抜くことはできない。そのため、このようなラッチ部のあるコネクタを備えたケーブルの挿抜を可能にする治具が求められている。
【０００５】
本発明は、このような事情を考慮してなされたもので、作業スペースが省スペースであっても他ケーブルに支障を与えることなく特定のケーブルのコネクタの挿抜を可能としつつ、接続する装置に対してロック可能なコネクタを備えたケーブルに用いることのできるケーブル用コネクタ挿抜工具を提供することを目的とする。
【課題を解決するための手段】
【０００６】
請求項１に記載の発明は、ケーブル収容装置の第１モジュラージャックに対して挿抜可能な第１コネクタを備え、この第１コネクタに設けられたラッチ部によって第１モジュラージャックにロックされる第１ケーブルと、ケーブル収容装置の第２モジュラージャックに対して挿抜可能な第２コネクタを備え、この第２コネクタに設けられたラッチ部によって第２モジュラージャックにロックされる第２ケーブルとをケーブル収容装置に対して挿抜可能にするケーブル用コネクタ挿抜工具において、作業者により把持される把持部と、この把持部の一端に設けられ第１コネクタを嵌脱可能に保持する第一挿抜部と、把持部の他端に設けられ第２コネクタを嵌脱可能に保持する第二挿抜部とからなり、第一挿抜部には、第１コネクタのラッチ部へ係合する第１係合溝が形成されているとともに、この第１係合溝の両側に第１ケーブルの挿抜方向に対して垂直に立設され且つ先端に爪部を有する一対の掛止部が設けられ、第二挿抜部には、第２コネクタのラッチ部へ係合する第２係合溝が形成されているとともに、この第２係合溝に対向するようにして支持板部が設けられていることを特徴とする。
【０００７】
請求項２に記載の発明は、請求項１に記載の発明において、第１ケーブル及び第２ケーブルの少なくともいずれか一方を挟持する挟持溝が長手方向に沿って形成されていることを特徴とする。
【０００８】
請求項３に記載の発明は、請求項１又は２に記載の発明において、非導通樹脂で一体成形されていることを特徴とする。
【発明の効果】
【０００９】
請求項１に記載の発明によれば、第一挿抜部に設けられた一対の掛止部よって第１コネクタを嵌脱可能に保持することができ、この第１コネクタを保持すると同時に第１係合溝が第１コネクタのラッチ部へと係合することによってこのラッチ部が押圧されるので、第１コネクタの第１モジュラージャックに対するロックが解除された状態にすることができる。これにより、第１ケーブルがケーブル収容装置に対して挿抜可能となる。一方、第二挿抜部に設けられる第２係合溝とこの第２係合溝に対向する支持板部とによって第２コネクタを挟持させることにより第２コネクタを嵌脱可能に保持することができ、第２係合溝が第２コネクタのラッチ部へと係合することによってこのラッチ部が押圧されるので、第２コネクタの第２モジュラージャックに対するロックが解除された状態にすることができる。これにより、第２ケーブルがケーブル収容装置に対して挿抜可能なものとなる。したがって、接続すべき装置に対してロック可能とするラッチ部を有した第１コネクタあるいは第２コネクタを備えたＬＡＮケーブルに用いることができ、ケーブル収容装置に第１ケーブルあるいは第２ケーブルが多条布設されていて、作業者の手が入る隙間もないくらい作業スペースが省スペースであっても、他のケーブルに支障を与えることなく特定のケーブルのコネクタの挿抜が可能となっている。
【００１０】
請求項２に記載の発明によれば、第１ケーブル及び第２ケーブルの少なくともいずれか一方を挟持する挟持溝が長手方向に沿って形成されているので、これら第１ケーブル及び第２ケーブルを確実に保持することができ、ケーブル収容装置に対して挿抜を行いやすい。
【００１１】
請求項３に記載の発明によれば、非導通樹脂で一体成形されているので、ケーブルの通電電流が他に伝わることを防ぐことができる。
【発明を実施するための最良の形態】
【００１２】
以下、本発明の一実施形態について、図１から図７に基づいて説明する。このケーブル用コネクタ挿抜工具１は、図６及び図７に示すように、ケーブル収容装置４１に接続されるカテゴリ６用コネクタ（第１コネクタ）４３を備える第１ＬＡＮケーブル（第１ケーブル）４２及びカテゴリ５ｅ用コネクタ（第２コネクタ）４６を備える第２ＬＡＮケーブル（第２ケーブル）４５の挿抜に用いられるものである。なお、カテゴリ６とは、ＡＮＳＩ／ＴＩＡ／ＥＩＡ５６８Ｂ．２−１に規定されたツイストペアーケーブルであり、カテゴリ５ｅとは、ＡＮＳＩ／ＴＩＡ／ＥＩＡ５６８Ｂ．２に規定されたツイストペアーケーブルである。ケーブル用コネクタ挿抜工具１の構成は、図１に示すように、中央に作業者に把持される把持部７を有し、この把持部７の一端側にカテゴリ６用コネクタ４３の挿抜を行う第一挿抜部５を設け、他端側にカテゴリ５ｅ用コネクタ４６の挿抜を行う第二挿抜部６を設けてなる。より詳しくは、図１及び図２に示すように、細長い板状の工具本体部２と、この工具本体部２の幅方向一側に位置する長方形状の側壁３を介して設けられる挟持板４とによって一部が断面視略コ字状に構成され、非導通樹脂によって一体成形されている。
【００１３】
工具本体部２は、図２に示すように所定の肉厚で細長い板状に形成されており、その長手方向中央部の幅方向一側から幅方向逆側へと凹むようにして凹部１４が形成されている。この凹部１４によって、図１に示すように工具本体部２で最も狭小幅となる把持保持部１５は、作業者によって保持される部分となる。
【００１４】
把持保持部１５の長手方向における一方の端部に、長方形板状の挿抜補助部１６と、この挿抜補助部１６の先端から外方へ延出すると共に幅方向両側に拡がる拡大部８とが設けられている。拡大部８の先端には、図２に示すように、他の部分に比べて薄肉状に形成された先端部９が設けられている。また、図３及び図４に示すように、この先端部９の基端側中央部から工具本体部２の長手方向内側に凹むとともに内面２７側へと開口するようにして第１係合溝１０が形成されており、この第１係合溝１０は、上記カテゴリ６用コネクタ４３のラッチ部４４に係合可能なものである。さらに、この第１係合溝１０の両側に位置するようにして、拡大部８の幅方向両側縁に一対の掛止部１１，１１が設けられている。掛止部１１，１１は、図４に示すように、工具本体部２の長手方向に対して垂直に立設され、その先端に、幅方向内方に突出する爪部１２を有したものである。これら掛止部１１，１１は互いの爪部１２を対向させるようにして設置されている。このようにしてカテゴリ６用コネクタ４３に係合する第一挿抜部５が構成されることになる。
【００１５】
把持保持部１５の長手方向における他方の端部に、上記挿抜補助部１６とは反対側に延在する挿抜保持部１７が設けられており、その先端には、挟持板４側ほど突出量が小さくなるように傾斜する傾斜面１８が形成されている。さらに、この挿抜保持部１７には、工具本体部２の内面２７から厚さ方向内側に凹むとともに上記傾斜面１８へと開口するようにして、第２係合溝１９が形成されており、この第２係合溝１９は、上記カテゴリ５ｅ用コネクタ４６のラッチ部４７に係合可能なものである。この第２係合溝１９の両側には、第２係合溝１９とは反対に厚さ方向外側へと突出する一対の凸部２０が設けられている。
【００１６】
このような工具本体部２に設けられる長方形状の側壁３は、工具本体部２に形成された凹部１４とは反対側の側縁から垂直に立設されており、その一端が凹部１４の拡大部８側の端部と長手方向で一致し、他端側が挿抜保持部１７の第２係合溝１９側へと延在するように設けられている。また、側壁３の工具本体部２とは反対に挟持板４は、上記挿抜保持部１７と対向する支持板部２３と、上記把持保持部１５と対向する把持支持部１３とによって構成されるもので、平面視において、これら把持保持部１５及び挿抜保持部１７の形状に略一致するものとなっている。この挟持板４は、側壁３よりも若干長めに形成されているため、一端側を上記凹部１４の拡大部８側の端部及び側壁３の一端と長手方向で一致するようにして設けることにより、他端側が側壁３よりも若干長手方向外側に突出して設けられる。すると、図２に示すような係止溝２５が形成されることになる。
そして、このような挟持板４の支持板部２３、工具本体部２の挿抜保持部１７及び側壁３によりカテゴリ５ｅ用コネクタ４６に係合可能な第二挿抜部６が構成される。
【００１７】
また、上記のような挟持板４、工具本体部２及び側壁３によって図５に示すようなコ字状に構成されることにより、挿抜する第１ＬＡＮケーブル４２及び第２ＬＡＮケーブル４５における各ケーブル本体４８，４８（図６及び図７参照）を挟持するための挟持溝２６がこれらの長手方向に沿って自ずと形成されることになる。この挟持溝２６によって、挿抜すべき第１ＬＡＮケーブル４２及び第２ＬＡＮケーブル４５のどちらか一方を保持することができるので、各モジュラージャックに対するカテゴリ６用コネクタ４３及びカテゴリ５ｅ用コネクタ４６の挿抜を行い易くすることができる。さらに、把持支持部１３、側壁３及び把持保持部１５により、作業者によって把持される把持部７が構成される。これにより、作業者の把持部分に厚みを持たせることができるので作業者が握り易くなる。
【００１８】
このように構成されるケーブル用コネクタ挿抜工具１は、ＬＡＮケーブルに備えられるコネクタの種類によって使い分けられる。コネクタは、規格によってその形状が異なっており、各々専用のモジュラージャックに接続される。上述したように、コネクタの種類としてカテゴリ６用コネクタ及びカテゴリ５ｅ用コネクタが挙げられ、これらを備えた第１ＬＡＮケーブル４２及び第２ＬＡＮケ−ブル４５の挿抜について述べる。
【００１９】
第１ＬＡＮケーブル４２は、ケーブル収容装置４１の第１モジュラージャックに対して挿抜可能なカテゴリ６用コネクタ４３を両端に備え、これらカテゴリ６用コネクタ４３にそれぞれ設けられるラッチ部４４によって第１モジュラージャックにロックされるものであって、第２ＬＡＮケーブル４５は、上記ケーブル収容装置４１の第２モジュラージャックに対して挿抜可能なカテゴリ５ｅ用コネクタ４６を両端に備え、これらカテゴリ５ｅ用コネクタ４６にもそれぞれ設けられるラッチ部４７によって第２モジュラージャックにロックされるものである。
【００２０】
ラッチ部４４は、図６に示すようにく字状に折曲形成されており、一端のみがコネクタ本体２８に固定されてなるもので、折曲方向における弾性力によってケーブル収容装置４１側の第１モジュラージャックに対してカテゴリ６用コネクタ４３をロックさせるものである。
ラッチ部４７は、図７に示すようにく字状に折曲形成されており、一端のみがコネクタ本体２８に固定されてなるもので、折曲方向における弾性力によってケーブル収容装置４１側の第２モジュラージャックに対してカテゴリ５ｅ用コネクタ４６をロックさせるものである。
【００２１】
ケーブル用コネクタ挿抜工具１は、上記のようなカテゴリ６用コネクタ４３及びカテゴリ５ｅ用コネクタ４６の両方の挿抜を可能にするものであり、ここでまず、カテゴリ６用コネクタ４３の挿抜について図６を参照しながら説明する。
【００２２】
第１ＬＡＮケーブル４２に備えられているカテゴリ６用コネクタ４３は、カテゴリ５ｅ用コネクタ４６の形状に比べて大きく形成されたものであるため、ケーブル収容装置４１の第１モジュラージャックに第１ＬＡＮケーブル４２が多条布設された場合には、隣接するカテゴリ６用コネクタ４３同士が近接することになる。このように、ケーブル収容装置４１の第１モジュラージャックにロックされているカテゴリ６用コネクタ４３を備える第１ＬＡＮケーブル４２の抜去を行う場合には、上述したような布設状況を考慮して、カテゴリ６用コネクタ４３同士の隙間に入り込み易いように構成された第一挿抜部５側が用いられる。
【００２３】
カテゴリ６用コネクタ４３は、その両側部に図６に示すような四角状の溝部４０を有したものとなっており、この溝部４０に第一挿抜部５の掛止部１１，１１が掛止するようにしてカテゴリ６用コネクタ４３の上方からケーブル用コネクタ挿抜工具１を取り付ける。このとき、第１ＬＡＮケーブル４２のケーブル本体４８をケーブル用コネクタ挿抜工具１の挟持溝２６に挟持させてもよい。そして、溝部４０の端部に突き当たるようにケーブル用コネクタ挿抜工具１をケーブル収容装置４１側へと押し進めると、工具本体部２の先端部９がラッチ部４４へと当接し、更に押し進めるとラッチ部４４の頂部５０が先端部９に押圧されながら第１係合溝１０へと係合する。ラッチ部４４が押圧されることにより、ラッチ部４４の付勢力によるケーブル収容装置４１へのロック状態が解除されることになる。この状態で、ケーブル収容装置４１から第１ＬＡＮケーブル４２と共にケーブル用コネクタ挿抜工具１を引き抜くことによって、抜去すべき第１ＬＡＮケーブル４２のカテゴリ６用コネクタ４３を第１モジュラージャックから抜去することができる。
【００２４】
なお、第一挿抜部５に設けられた挿抜補助部１６によって、第１ＬＡＮケーブル４２が多条布設された場合であっても挿抜すべき特定の第１ＬＡＮケーブル４２のカテゴリ６用コネクタ４３へと先端部９を到達させることが可能となる。
【００２５】
また、ケーブル収容装置４１の第１モジュラージャックにカテゴリ６用コネクタ４３を備えた第１ＬＡＮケーブル４２を接続させる場合には、カテゴリ６用コネクタ４３の溝部４０にケーブル用コネクタ挿抜工具１を取り付けるべく第一挿抜部５の掛止部１１，１１を掛止させた状態でケーブル用コネクタ挿抜工具１に予め保持させておき、その状態でカテゴリ６用コネクタ４３を第１モジュラージャックへと挿入させる。ケーブル用コネクタ挿抜工具１にカテゴリ６用コネクタ４３を保持させる際、図６の実線で示すように、カテゴリ６用コネクタ４３のラッチ部４４を押圧させた状態で保持させておいてもよい。この場合、カテゴリ６用コネクタ４３を第１モジュラージャックへと挿入させた後、第１ＬＡＮケーブル４２を挿入方向へと押しながら、ケーブル用コネクタ挿抜工具１のみを引き抜くことによって、ラッチ部４４の押圧状態が解除され、第１モジュラージャックへとロックすることになる。あるいは、図６の二点鎖線で示すように、カテゴリ６用コネクタ４３のラッチ部４４を押圧させない状態で保持させておいてもよい。この場合、第１モジュラージャックへの挿入と同時にラッチ部４４が第１モジュラージャックへとロックされることになり、ロック状態となったことが確認でき次第、ケーブル用コネクタ挿抜工具１のみを引き抜くことによって第１ＬＡＮケーブル４２を布設させることができる。
【００２６】
次に、カテゴリ５ｅ用コネクタ４６の挿抜について図７を参照しながら説明する。
カテゴリ５ｅ用コネクタ４６には、通常、カテゴリ６用コネクタ４３のような溝部４０が形成されていないため、カテゴリ５ｅ用コネクタ４６だけでなくケーブル本体４８をも保持させる必要がある。そのため、ケーブル収容装置４１の第２モジュラージャックにロックされているカテゴリ５ｅ用コネクタ４６を備える第２ＬＡＮケーブル４５の抜去を行う場合には、まず、抜去する特定の第２ＬＡＮケーブル４５をケーブル用コネクタ挿抜工具１の挟持溝２６内に挿通させて挟持し、ケーブル本体４８を保持する。このとき、ケーブル用コネクタ挿抜工具１の第二挿抜部６をカテゴリ５ｅ用コネクタ４６側に向けて装着させる。そして、ケーブル本体４８を挿通させながらケーブル用コネクタ挿抜工具１をカテゴリ５ｅ用コネクタ４６側へと押し進めると、第二挿抜部６の傾斜面１８に開口する第２係合溝１９がカテゴリ５ｅ用コネクタ４６のラッチ部４７に係合し、ケーブル用コネクタ挿抜工具１の進入に伴い、その第２係合溝１９に沿ってラッチ部４７が押圧されていく。
ここで、挿抜保持部１７の先端に設けられている傾斜面１８によって、カテゴリ５ｅ用コネクタ４６のラッチ部４７が傾斜面１８に沿ってスムーズに第２係合溝１９へと案内されることになる。
【００２７】
そして、挟持板４の端部がカテゴリ５ｅ用コネクタ４６の端部に当接するころには、ラッチ部４７の頂部５０が第２係合溝１９に押圧されることになり、これによって、ラッチ部４７の付勢力によるケーブル収容装置４１へのロック状態が解除されることになる。この状態のまま、第２ＬＡＮケーブル４５と共にケーブル用コネクタ挿抜工具１をケーブル収容装置４１から同時に引き抜くことによって特定の第２ＬＡＮケーブル４５のカテゴリ５ｅ用コネクタ４６を第２モジュラージャックから抜去することができる。
【００２８】
このように、ケーブル用コネクタ挿抜工具１にカテゴリ５ｅ用コネクタ４６だけでなくケーブル本体４８をも挟持させることによって、カテゴリ５ｅ用コネクタ４６をその抜去方向に沿って安定的に保持することができるとともに、第２ＬＡＮケーブル４５の挿抜時に発生する挿抜張力をカテゴリ５ｅ用コネクタ４６とケーブル本体４８との圧着部分に伝えることなく挿抜することが可能となる。
【００２９】
また、ケーブル収容装置４１の第２モジュラージャックにカテゴリ５ｅ用コネクタ４６を備えた第２ＬＡＮケーブル４５を接続させる場合には、ケーブル用コネクタ挿抜工具１の挟持溝２６にケーブル本体４８を挟持させながら、カテゴリ５ｅ用コネクタ４６をケーブル用コネクタ挿抜工具１の第二挿抜部６に予め保持させておき、その状態でカテゴリ５ｅ用コネクタ４６を第２モジュラージャックへと挿入させる。ケーブル用コネクタ挿抜工具１にカテゴリ５ｅ用コネクタ４６を保持させる際、図７の実線で示すように、カテゴリ５ｅ用コネクタ４６のラッチ部４７を押圧させた状態で保持させておいてもよい。この場合、カテゴリ５ｅ用コネクタ４６を第２モジュラージャックへと挿入させた後、第２ＬＡＮケーブル４５を挿入方向へと押しながら、ケーブル用コネクタ挿抜工具１のみを引き抜くことによって、ラッチ部４７の押圧状態が解除され、第２モジュラージャックへとロックすることになる。あるいは、図７の二点鎖線で示すように、カテゴリ５ｅ用コネクタ４６のラッチ部４７を押圧させない状態で保持させておいてもよい。この場合、第２モジュラージャックへの挿入と同時にラッチ部４７が第２モジュラージャックへとロックされることになり、ロック状態となったことが確認でき次第、ケーブル用コネクタ挿抜工具１のみを引き抜くことによって第２ＬＡＮケーブル４５を布設させることができる。
【００３０】
なお、カテゴリ５ｅ用コネクタ４６は、その種類によって形状が異なっているが、このケーブル用コネクタ挿抜工具１の第二挿抜部６は、全てのカテゴリ５ｅ用コネクタ４６の形状に対応したものとなっている。
【００３１】
さらに、カテゴリ５ｅ用コネクタ４６の形状が第二挿抜部６の係止溝２５へ係合可能な形状の場合、第二挿抜部６の係止溝２５をカテゴリ５ｅ用コネクタ４６の端部へ係合させるようにして用いてもよい。
【００３２】
このように、第一挿抜部５に設けられた一対の掛止部１１，１１よってカテゴリ６用コネクタ４３を嵌脱可能に保持することができる。また、このカテゴリ６用コネクタ４３を保持すると同時に第１係合溝１０がカテゴリ６用コネクタ４３のラッチ部４４へと係合することによってこのラッチ部４４が押圧されるので、カテゴリ６用コネクタ４３の第１モジュラージャックに対するロック状態を解除することができる。これにより、第１ＬＡＮケーブル４２がケーブル収容装置４１に対して挿抜可能となる。
【００３３】
一方、第二挿抜部６に設けられる第２係合溝１９とこの第２係合溝１９に対向する支持板部２３とによってカテゴリ５ｅ用コネクタ４６を挟持させることによりカテゴリ５ｅ用コネクタ４６を嵌脱可能に保持することができる。そして、第２係合溝１９がカテゴリ５ｅ用コネクタ４６のラッチ部４７へと係合することによってこのラッチ部４７が押圧されるので、カテゴリ５ｅ用コネクタ４６の第２モジュラージャックに対するロックが解除された状態にすることができる。これにより、第２ＬＡＮケーブル４５がケーブル収容装置４１に対して挿抜可能なものとなる。
【００３４】
したがって、ケーブル収容装置４１に対してロック可能とするラッチ部４４，４７を有したカテゴリ６用コネクタ４３あるいはカテゴリ５ｅ用コネクタ４６に用いることができ、これらカテゴリ６用コネクタ４３を備えた第１ＬＡＮケーブル４２あるいはカテゴリ５ｅ用コネクタ４６を備えた第２ＬＡＮケーブル４５がケーブル収容装置４１に多条布設されていて、各コネクタ４３，４６へと作業者の手が入る隙間もないくらい作業スペースが省スペースな場合であっても、他のＬＡＮケーブルに支障を与えることなく特定のＬＡＮケーブルのコネクタの挿抜が可能となる。そのため、隣接するＬＡＮケーブルの半差し等による故障を防止することができる。
【００３５】
また、第１ＬＡＮケーブル４２及び第２ＬＡＮケーブル４５の少なくともいずれか一方を挟持する挟持溝２６が長手方向に沿って形成されているので、これら第１ＬＡＮケーブル４２及び第２ＬＡＮケーブル４５を確実に保持することができ、ケーブル収容装置４１に対するカテゴリ６用コネクタ４３及びカテゴリ５ｅ用コネクタ４６の挿抜を行いやすい。
【００３６】
さらに、このケーブル用コネクタ挿抜工具１は、非導通樹脂で一体成形されているので、第１ＬＡＮケーブル４２及び第２ＬＡＮケーブル４５の通電電流が作業者に伝わることを防ぐことができる。また、カテゴリ６用コネクタ４３及びカテゴリ５ｅ用コネクタ４６は合成樹脂により形成されているため、樹脂同士による耐磨耗性を考慮した樹脂が用いられている。
【図面の簡単な説明】
【００３７】
【図１】本発明における一実施形態のケーブル用コネクタ挿抜工具を示す平面図である。
【図２】本発明における一実施形態のケーブル用コネクタ挿抜工具を示す側面図である。
【図３】本発明における一実施形態のケーブル用コネクタ挿抜工具の第一挿抜部の拡大平面図である。
【図４】本発明における一実施形態のケーブル用コネクタ挿抜工具の第一挿抜部を示す正面図である。
【図５】本発明における一実施形態のケーブル用コネクタ挿抜工具の第二挿抜部を示す正面図である。
【図６】本発明における一実施形態のケーブル用コネクタ挿抜工具の第一挿抜部の使用方法を示す側面図である。
【図７】本発明における一実施形態のケーブル用コネクタ挿抜工具の第二挿抜部の使用方法を示す側断面図である。
【符号の説明】
【００３８】
１  ケーブル用コネクタ挿抜工具
５  第一挿抜部
６  第二挿抜部
７  把持部
１０  第１係合溝
１１  掛止部
１２  爪部
１９  第２係合溝
２３  支持板部
２６  挟持溝
４３  カテゴリ６用コネクタ（第１コネクタ）
４２  第１ＬＡＮケーブル
４４，４７  ラッチ部
４５  第２ＬＡＮケーブル
４６  カテゴリ５ｅ用コネクタ（第２コネクタ）
【図１】
2006344410.tif 000003
【図２】
2006344410.tif 000004
【図３】
2006344410.tif 000005
【図４】
2006344410.tif 000006
【図５】
2006344410.tif 000007
【図６】
2006344410.tif 000008
【図７】
2006344410.tif 000009